(57)【要約】  風向き変更機構（１０１）は、風向き変更部材（１１０）と、風向き変更部材（１１０）を回動可能に支持するための本体側の部材（１２０）とを備える。風向き変更部材（１１０）は、右端の取り付け軸（１１３）と、左端の取り付け軸（１１５）と、右端の取り付け軸（１１３）と左端の取り付け軸（１１５）との間に設けられる１つまたは複数の中間取り付け軸（１１９）と、風向き変更パネル（１１１）と、を含む。本体側の部材（１２０）は、右端の取り付け軸（１１３）が差し込まれて当該取り付け軸（１１３）を枢支するための右軸受け部（１２１Ｘ）が形成される右側部材（１２１）と、左端の取り付け軸（１１５）が差し込まれて当該取り付け軸（１１５）を枢支するための左軸受け部（１２２Ｘ）が形成される左側部材（１２２）と、１つまたは複数の中間の取り付け軸（１１９）を挟んで保持するための凹部（１２６Ｘ）が形成される１つまたは複数の中間部材（１２６）とを含む。
2018154805.tif 000002
【特許請求の範囲】
【請求項１】
右端の取り付け軸と、左端の取り付け軸と、前記右端の取り付け軸と前記左端の取り付け軸との間に設けられる１つまたは複数の中間取り付け軸と、風向き変更パネルと、を含む風向き変更部材と、
前記風向き変更部材を回動可能に支持するための本体側の部材とを備え、
前記本体側の部材は、前記右端の取り付け軸が差し込まれて当該取り付け軸を枢支するための右軸受け部が形成される右側部材と、前記左端の取り付け軸が差し込まれて当該取り付け軸を枢支するための左軸受け部が形成される左側部材と、前記１つまたは複数の中間取り付け軸を挟んで保持するための凹部が形成される１つまたは複数の中間部材とを含む、風向き変更機構。
【請求項２】
前記右端の取り付け軸および前記左端の取り付け軸の少なくとも一方の取り付け軸は、前記風向き変更パネルに対して左右方向にスライド可能に支持されており、
前記いずれかの取り付け軸を対応する軸受け部へ向けてスライドさせる際に、前記風向き変更パネルから立設される部材が前記本体側の部材の一部に当接するように構成されている、請求項１に記載の風向き変更機構。
【請求項３】
前記右端の取り付け軸が、前記風向き変更パネルに対して左右方向にスライド可能に支持されており、
前記左端の取り付け軸が、前記風向き変更パネルに対して左右方向にスライド可能に支持されており、
前記１つまたは複数の中間取り付け軸の少なくとも１つの両端部が支持部材を介して前記風向き変更パネルに対して固定される、請求項１または２に記載の風向き変更機構。
【請求項４】
前記風向き変更パネルが断熱部材を含み、
前記スライドのための部材の高さが前記断熱部材の高さよりも低い、請求項２または３に記載の風向き変更機構。
【請求項５】
前記スライドのための部材の前記風向き変更パネル側に断熱材が配置される、請求項２から４のいずれか１項に記載の風向き変更機構。
【請求項６】
前記１つまたは複数の中間取り付け軸と前記１つまたは複数の中間部材の一方の柔軟性が他方よりも高い、請求項１から５のいずれか１項に記載の風向き変更機構
【請求項７】
右端の取り付け軸と、左端の取り付け軸と、凹部が形成される１つまたは複数の中間部材と、風向き変更パネルと、を含む風向き変更部材と、
前記風向き変更部材を回動可能に支持するための本体側の部材とを備え、
前記本体側の部材は、前記右端の取り付け軸が差し込まれて前記取り付け軸を枢支するための右軸受け部が形成される右側部材と、前記左端の取り付け軸が差し込まれて前記取り付け軸を枢支するための左軸受け部が形成される左側部材と、前記凹部に挟まれる１つまたは複数の中間取り付け軸とを含む、風向き変更機構。
【発明の詳細な説明】
【技術分野】
【０００１】
本発明の一態様は、空気調和機などの空気の吹き出し口近傍の風向き変更機構の技術に関する。
【背景技術】
【０００２】
従来から、空気調和機などの空気の吹き出し口近傍の風向き変更機構に関して、各種の技術が提案されてきた。たとえば、特開２００２−７１２０６号公報（特許文献１）には、上下風向調整板の着脱装置が開示されている。特許文献１によると、一端部に支持軸、他端部に取手部で形成された可動軸片を、上下風向調整板の側板及び中板の支持軸貫通穴に支持軸が挿入されながら可動するように上下風向調整板に固定していた。【０００３】
また、特開２０１６−７５４５８号公報（特許文献２）には、空気調和機が開示されている。特許文献２によると、吹出し口に装着した上下風向変更羽根を両側部と略中央の三点で支持するに際し、上下風向変更羽根もしくは吹出し口のいずれかの左右両側部に設けた軸のうち、一方の軸の軸受部材は上下羽根に対しスライド自在とするとともに、略中央部に設けた軸はその長さを両側部の軸の長さより長くなるようにしてある。これにより、略中央の軸を略中央の軸受孔に嵌合させ上下風向変更羽根を仮保持させた状態で両側部の軸の軸受孔への嵌合作業を行うことができ、簡単に着脱できる。
【先行技術文献】
【特許文献】
【０００４】
【特許文献１】特開２００２−７１２０６号公報
【特許文献２】特開２０１６−７５４５８号公報
【発明の概要】
【発明が解決しようとする課題】
【０００５】
風向き変更パネルを空気調和機本体に容易に着脱することができる機構が求められている。
【課題を解決するための手段】
【０００６】
この発明のある態様に従うと、風向き変更機構が提供される。風向き変更機構は、風向き変更部材と、風向き変更部材を回動可能に支持するための本体側の部材とを備える。風向き変更部材は、右端の取り付け軸と、左端の取り付け軸と、右端の取り付け軸と左端の取り付け軸との間に設けられる１つまたは複数の中間取り付け軸と、風向き変更パネルと、を含む。本体側の部材は、右端の取り付け軸が差し込まれて当該取り付け軸を枢支するための右軸受け部が形成される右側部材と、左端の取り付け軸が差し込まれて当該取り付け軸を枢支するための左軸受け部が形成される左側部材と、１つまたは複数の中間取り付け軸を挟んで保持するための凹部が形成される１つまたは複数の中間部材とを含む。
【発明の効果】
【０００７】
以上のように、この発明の一態様によれば、風向き変更パネルを空気調和機本体に容易に着脱することができる機構を提供することができる。
【図面の簡単な説明】
【０００８】
【図１】第１の実施の形態にかかる、風向き変更部材１１０によって吹き出し口１０２を閉じた状態の、空気調和機１の室内機３０の斜視図と正面図である。
【図２】第１の実施の形態にかかる、風向き変更部材１１０を下降させ（開き）、吹き出し口１０２を開いた状態の、空気調和機１の室内機３０の斜視図と正面図である。
【図３】第１の実施の形態にかかるドレンパン１２０の右下方斜視図と左下方斜視図である。
【図４】第１の実施の形態にかかる中間部材１２６の側面図である。
【図５】第１の実施の形態にかかる風向き変更部材１１０の右上方斜視図と左上方斜視図である。
【図６】第１の実施の形態にかかる風向き変更部材１１０の平面図である。
【図７】第１の実施の形態にかかる風向き変更部材１１０の中間取り付け軸１１９を中間部材１２６の凹部１２６Ｘに嵌め込んだ状態を示す左斜視図である。
【図８】第１の実施の形態にかかる風向き変更部材１１０のスライド部材１１６近傍を示す拡大斜視図である。
【図９】第１の実施の形態にかかる風向き変更部材１１０を示す側面断面図である。
【図１０】第１の実施の形態にかかる風向き変更部材１１０のドレンパン１２０への取り付け手順を示すイメージ図である。
【図１１】第２の実施の形態にかかる風向き変更部材１１０Ｂの平面図である。
【図１２】第３の実施の形態にかかるスライド部材１１６の近傍を示す第１の拡大側面断面図である。
【図１３】第３の実施の形態にかかるスライド部材１１６の近傍を示す第２の拡大側面断面図である。
【図１４】第３の実施の形態にかかるスライド部材１１６の近傍を示す第３の拡大側面断面図である。
【図１５】第４の実施の形態にかかる風向き変更部材１１０Ｄの平面図である。
【図１６】第４の実施の形態にかかる風向き変更部材１１０Ｄの中間取り付け軸１１９Ｄ近傍を示す左斜視図である。
【図１７】第４の実施の形態にかかる風向き変更部材１１０Ｄの中間取り付け軸１１９Ｄを中間部材１２６の凹部１２６Ｘに嵌め込んだ状態を示す左斜視図である。
【図１８】第５の実施の形態にかかる風向き変更部材１１０Ｅの平面図である。
【図１９】第６の実施の形態にかかる第１の風向き変更部材１１０の平面図である。
【図２０】第６の実施の形態にかかるドレンパン１２０の右下方斜視図と左下方斜視図である。
【図２１】第６の実施の形態にかかる第２の風向き変更部材１１０Ｅの平面図である。
【図２２】第８の実施の形態にかかる第１のドレンパン１２０Ｆの右下方斜視図である。
【図２３】第８の実施の形態にかかる風向き変更部材１１０Ｆの右上方斜視図である。
【図２４】第８の実施の形態にかかる第２のドレンパン１２０Ｆの左下方斜視図である。
【図２５】第８の実施の形態にかかる第３のドレンパン１２０Ｆの右下方斜視図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機１の全体構成＞
【００１０】
まず、本実施の形態にかかる風向き変更機構１０１を搭載する空気調和機１の全体構成と動作概要について説明する。なお、図１（Ａ）は本実施の形態にかかる、風向き変更部材１１０によって吹き出し口１０２を閉じた状態の、空気調和機１の室内機３０の右下方斜視図であり、（Ｂ）は当該室内機３０の正面図である。図２（Ａ）は本実施の形態にかかる、風向き変更部材１１０を下降させ（開き）吹き出し口１０２を開いた状態の、空気調和機１の室内機３０の右下方斜視図であり、（Ｂ）は当該室内機３０の正面図である。
【００１１】
また、以下では、図１（Ｂ）の紙面に向かって右方向を各部材の右方向といい、当該紙面に向かって左方向を各部材の左方向といい、当該紙面に向かって上方向を各部材の上方向といい、当該紙面に向かって下方向を各部材の下方向といい、当該紙面の奥に向かって各部材の後方向といい、当該紙面に向かって手前方向を各部材の前方向という。なお、風向き変更部材１１０に関しては、水平な状態における方向を用いて説明するものとする。
【００１２】
本実施の形態にかかる空気調和機１は、空気調和運転の停止中は、図１（Ａ）および（Ｂ）に示すように、風向き変更部材１１０で吹き出し口１０２を閉じる。一方、空気調和運転中においては、図２（Ａ）および（Ｂ）に示すように、そのヒートポンプシステムによって冷やされた空気、あるいは暖められた空気を、風向き変更機構１０１を通して、室内に吹き出す。あるいは、空気調和機１は、ヒートポンプシステムを動作させずに、送風運転を行う。
＜風向き変更機構１０１の全体構成＞
【００１３】
以下では、図３から図９を参照しながら、本実施の形態にかかる風向き変更機構１０１について説明する。風向き変更機構１０１は、主として、図３に示す室内機３０の本体側のドレンパン１２０と図５に示す風向き変更部材１１０とから構成される。
【００１４】
まず、図２と図３とを参照して、ドレンパン１２０は、右側部材１２１と、左側部材１２２と、中間フレーム１２５とを含む。右側部材１２１には、風向き変更部材１１０の右端部を枢支するための右軸受け部１２１Ｘが形成される。左側部材１２２は、風向き変更部材１１０の左端部を枢支するための左軸受け部１２２Ｘが形成される。中間フレーム１２５には、弾性を有する中間部材１２６が取り付けられる。中間部材１２６は、たとえば、ポリプロピレンなどの樹脂で構成される。そして、中間部材１２６は、後述するように、風向き変更部材１１０の中間部分を保持する。
【００１５】
より詳細には、図３と図４を参照して、中間部材１２６には、その前部に、凹部（切り欠き）１２６Ｘが形成される。そして凹部１２６Ｘには、後述するように、風向き変更部材１１０の中間の取り付け軸が挟み込まれる。
【００１６】
次に、図５と図６とを参照して、本実施の形態にかかる風向き変更部材１１０は、風向き変更パネル１１１の右端部に、右支持部材１１２が立設される。そして、右支持部材１１２は、その右側（右側面）に右取り付け軸１１３が形成される。
【００１７】
同様に、風向き変更パネル１１１の左端部には、スライド部材１１６を介して左支持部材１１４が立設される。左支持部材１１４は、その左側（左側面）に左取り付け軸１１５が形成される。
【００１８】
風向き変更部材１１０は、風向き変更パネル１１１の中間部に、中間支持部材１１７が形成される。そして、中間支持部材１１７の左側（左側面）に中間取り付け軸１１９が形成される。図７に示すように、中間取り付け軸１１９は、中間部材１２６の凹部１２６Ｘに挟まれて、回動可能に保持される。より詳細には、中間部材１２６と中間取り付け軸１１９のいずれか一方が柔軟性の大きい材料で構成され、他方が柔軟性の小さい材料で構成されることが好ましい。
【００１９】
なお、中間部材１２６に関しては、凹部１２６Ｘの下側は、しっかりと中間取り付け軸１１９を受けるために硬めの部材で構成する。そして、凹部１２６Ｘの上側は、柔軟性が高い部材で構成され、撓んで中間取り付け軸１１９を挟み込みやすく構成されることが好ましい。
【００２０】
図８と図９とを参照して、風向き変更パネル１１１は、パネル本体１１１１の上側（風向き変更部材を閉じた際に吹出口と対向する側）に断熱部材１１１２が設けられる。断熱部材１１１２の上面には、樹脂製の化粧パネル１１１３が貼られる。この樹脂製の化粧パネル１１１３を貼り付けることにより、外観性の向上、清掃性の向上などの効果がある。なお、樹脂製の化粧パネルに代えて、ステンレスなどの金属製やガラス（強化ガラス）の化粧パネルを貼り付けてもよい。なお、このような化粧パネルを貼り付けしなくてもよい。
【００２１】
図５，６，８，９を参照して、風向き変更部材１１０の左側後部には、スライド部材１１６が設けられる。スライド部材１１６は、主に、スライド本体１１６１と、指押し部１１６２と、スライド本体１１６１と指押し部１１６２と支持部材１１４の強度を向上させるための補強リブ１１６３，１１６３とから構成される。スライド部材１１６は、パネル本体１１１１のガイド部１１１１Ｘ，１１１１Ｙによって風向き変更部材１１０の左右方向にスライド可能に構成されている。
【００２２】
スライド部材１１６の下方には、パネル本体１１１１の上面に断熱材１１１４が配置される。断熱材１１１４により、スライド部材１１６の表面への結露する可能性を低減することができる。なお、断熱材１１１４の厚みは、断熱部材１１１２よりも薄い。そして、断熱材１１１４の上面、すなわち断熱材１１１４とスライド本体１１６１との間、に樹脂シート１１１５が貼られる。この樹脂シート１１１５を貼り付けることで、断熱目的で貼付けしている断熱材１１１４上をスライド部材１１６が直接的にスライドすることにより、傷つくことから保護することができる。また、スライド部材１１６が滑りやすくなるので、スライド性を向上させることができる。なお、この樹脂シート１１１５に代えて、ステンレスなどの金属製シートやガラスシート（強化ガラス）を貼り付けてもよい。なお、樹脂シート１１１５を貼り付けしなくてもよいし、断熱材１１１４を貼らなくもよい。
＜風向き変更部材１１０のドレンパン１２０への取り付け方法＞
【００２３】
次に、図１０を参照して、風向き変更部材１１０のドレンパン１２０への取り付け方法について説明する。まず、スライド部材１１６を、風向き変更部材１１０の右方向、すなわち「はずす」用の位置、にスライドさせておく。
【００２４】
そして、図１０（Ａ）を参照して、風向き変更部材１１０の右取り付け軸１１３をドレンパン１２０の右軸受け部１２１Ｘに挿入する。次に、図１０（Ｂ）を参照して、風向き変更部材１１０の中間取り付け軸１１９をドレンパン１２０の中間部材１２６の凹部１２６Ｘに挟み込む。この状態において、風向き変更部材１１０の左取り付け軸１１５が、ドレンパン１２０の左軸受け部１２２Ｘに向かい合うように位置する。
【００２５】
そして、図１０（Ｃ）に示すように、スライド部材１１６を風向き変更部材１１０の左方向、すなわち「つける」用の位置、へスライドさせることによって、風向き変更部材１１０の左取り付け軸１１５をドレンパン１２０の左軸受け部１２２Ｘに挿入する。このとき、風向き変更部材１１０も左側へ移動することがあるが、中間支持部材１１７の左側面と中間部材１２６の右側面との間にできる隙間の間隔が、右支持部材１１２の右取り付け軸１１３の長さよりも短いため、風向き変更部材１１０が左に移動しても、中間支持部材１１７の左側面が中間部材１２６の右側面に当接することで風向き変更部材１１０の移動を制限するので、右取り付け軸１１３がドレンパン１２０の右軸受け部１２１Ｘからはずれたり、中間取り付け軸１１９が凹部１２６Ｘから外れたりする可能性が低減される。このようにして、風向き変更部材１１０が上下方向に回動可能にドレンパン１２０に取り付けられる。
【００２６】
以上のように、本実施の形態にかかる風向き変更機構１０１に関しては、風向き変更部材１１０をたわませる程度を低減、あるいは、たわませることなく、またスライド距離を大きくすることもなく、風向き変更部材１１０をドレンパン１２０に取り付けることができる。また、左のスライド部材１１６をスライドさせる場合であっても、中間支持部材１１７が中間部材１２６に当接するため、反力によって他の軸が軸受け部から外れてしまう可能性を低減することができる。つまり、手が２本しかないユーザが、従来よりも簡単に、風向き変更部材１１０をドレンパン１２０に取り付けることができる。また、風向き変更部材１１０に断熱部材１１１２が取り付けられているため、片側だけから冷風を吹き出しても他方の面が結露しにくい。
＜第２の実施の形態＞
【００２７】
第１の実施の形態においては、風向き変更部材１１０の左端部に、スライド部材１１６が配置されているが、図１１に示すように、風向き変更部材１１０Ｂの右端部に、スライド部材１１６Ｂが配置されてもよい。この場合には、中間支持部材１１８の右側（右側面）に中間取り付け軸１１９Ｂが形成される。
【００２８】
そして、風向き変更部材１１０Ｂをドレンパン１２０に取り付ける際には、図１０（Ａ）と同様に、風向き変更部材１１０Ｂの左取り付け軸１１３Ｂをドレンパン１２０の左軸受け部１２２Ｘに挿入する。次に、風向き変更部材１１０Ｂの中間取り付け軸１１９Ｂをドレンパン１２０の中間の凹部１２６Ｘに挟み込む。この状態において、風向き変更部材１１０Ｂの右取り付け軸１１５Ｂが、ドレンパン１２０の右軸受け部１２１Ｘに向かい合うように位置する。
【００２９】
そして、スライド部材１１６Ｂを風向き変更部材１１０Ｂの右方向へスライドさせることによって、風向き変更部材１１０Ｂの右取り付け軸１１５Ｂをドレンパン１２０の右軸受け部１２１Ｘに挿入させる。これによって、風向き変更部材１１０Ｂが上下方向に回動可能にドレンパン１２０に取り付けられる。
【００３０】
本実施の形態においても、右のスライド部材１１６Ｂの指押し部１１６２を押して右方向にスライドさせる場合であっても、風向き変更部材１１０も右側へ移動することがあるが、中間支持部材１１８の右側面と中間部材１２６の左側面との間にできる隙間の間隔が、左取り付け軸１１３Ｂの長さよりも短いため、風向き変更部材１１０が右に移動しても、中間支持部材１１８の右側面が中間部材１２６の左側面に当接することで風向き変更部材１１０の移動を制限するので、左取り付け軸１１３Ｂがドレンパン１２０の左軸受け部１２２Ｘから外れたり、中間取り付け軸１１９Ｂが凹部１２６Ｘから外れたりする可能性が低減される。
＜第３の実施の形態＞
【００３１】
図８、図１２および図１３に示すように、風向き変更部材１１０は、側面断面視において、スライド部材１１６の高さが断熱部材１１１２（あるいは化粧パネル１１１３）の高さよりも低いことが好ましい。より詳細には、側面断面視において、スライド部材１１６の補強リブ１１６３の大部分（たとえば半分以上あるいは２／３以上）の高さが断熱部材１１１２（あるいは化粧パネル１１１３）の高さよりも低いことが好ましい。言い換えれば、スライド部材１１６の補強リブ１１６３の大部分（たとえば半分以上あるいは２／３以上）が断熱部材１１１２（あるいは化粧パネル１１１３）の表面よりも低い位置であることが好ましい。
【００３２】
あるいは、風向き変更部材１１０は、側面断面視において、ガイド部１１１１Ｘ，１１１１Ｙの高さが断熱部材１１１２（あるいは化粧パネル１１１３）の高さよりも低いことが好ましい。言い換えれば、ガイド部１１１１Ｘ，１１１１Ｙが断熱部材１１１２（あるいは化粧パネル１１１３）よりも低い位置であることが好ましい。
【００３３】
なお図１４に示すように、側面断面視において、スライド部材１１６の指押し部１１６２と支持部材１１４以外の部分全ての高さが断熱部材１１１２の高さよりも低いことが好ましい。言い換えれば、スライド部材１１６の指押し部１１６２と支持部材１１４以外の部分全てが断熱部材１１１２（あるいは化粧パネル１１１３）よりも低い位置であることが好ましい。
【００３４】
これによって、スライド部材１１６が、吹き出し口１０２から吹き出す空気の妨げになりにくくなる。
【００３５】
なお、本実施の形態では、なお、断熱材１１１４の厚みは、断熱部材１１１２よりも薄く形成されている。樹脂シート１１１５の厚みは化粧パネル１１１３とほぼ同じである。このように断熱材１１１４が設けられているため、片側だけから冷風を吹き出しても他方の面が結露しにくいという効果をさらに得られる。なお、この樹脂シート１１１５に代えて、ステンレスなどの金属製シートやガラスシート（強化ガラス）を貼り付けてもよい。なお、樹脂シートを貼り付けしなくてもよいし、断熱材を貼らなくもよい。
＜第４の実施の形態＞
【００３６】
第１から第３の実施の形態においては、風向き変更部材１１０は、その中間部に、１つの中間支持部材１１７（１１８）が形成されて、中間支持部材１１７（１１８）の左側（左側面）または右側（右側面）に中間取り付け軸１１９（１１９Ｂ）が形成されるものであった。
【００３７】
しかしながら、本実施の形態においては、図１５および図１６に示すように、風向き変更部材１１０Ｄは、その中間部に、２つの中間支持部材１１７，１１８が形成される。そして、２つの中間支持部材１１７，１１８の間に中間取り付け軸１１９Ｄが形成される。この場合も図１７に示すように、中間取り付け軸１１９Ｄは、中間部材１２６の凹部１２６Ｘに挟まれて保持される。
【００３８】
これによって、風向き変更部材１１０Ｄの中間部分の強度を向上させることができる。
＜第５の実施の形態＞
【００３９】
第１から第４の実施の形態においては、風向き変更部材１１０（１１０Ｂ）は、その左端部または右端部に、スライド部材１１６（１１６Ｂ）が配置されるものであった。しかしながら、本実施の形態においては、図１８に示すように、風向き変更部材１１０Ｅの左右の両端にスライド部材が設けられる。
【００４０】
より詳細には、風向き変更部材１１０Ｅは、その右端部に、スライド部材１１６Ｂを介して右支持部材１１４Ｂが形成される。右支持部材１１４Ｂは、その右側（右側面）に右取り付け軸１１５Ｂが形成される。風向き変更部材１１０Ｅは、その左端部に、スライド部材１１６を介して左支持部材１１４が形成される。左支持部材１１４は、その左側（左側面）に左取り付け軸１１５が形成される。
【００４１】
そして、本実施の形態においては、風向き変更部材１１０は、その中間部に、２つの中間支持部材１１７，１１８が形成される。そして、２つの中間支持部材１１７，１１８の間に中間取り付け軸１１９Ｂが形成される。図１７に示すように、中間取り付け軸１１９Ｂは、中間部材１２６の凹部１２６Ｘに挟まれて保持される。このようにして、風向き変更部材１１０が上下方向に回動可能にドレンパン１２０に取り付けられる。
【００４２】
これによって、先に中間取り付け軸１１９Ｂを中間部材１２６の凹部１２６Ｘに係止させることにより、右のスライド部材１１６Ｂの指押し部１１６２を押して右方向にスライドさせる場合であっても、風向き変更部材１１０も右側へ移動することがあるが、中間支持部材１１８の右側面と中間部材１２６の左側面との間にできる隙間の間隔が、左取り付け軸１１５の長さよりも短いため、風向き変更部材１１０が右に移動しても、中間支持部材１１８の右側面が中間部材１２６の左側面に当接することで風向き変更部材１１０の移動を制限するので、左取り付け軸１１５がドレンパン１２０の左軸受け部１２２Ｘから外れたり、中間取り付け軸１１９Ｂが凹部１２６Ｘから外れたりする可能性が低減される。
【００４３】
同様に、左のスライド部材１１６の指押し部１１６２を押して左方向にスライドさせる場合であっても、風向き変更部材１１０も左側へ移動することがあるが、中間支持部材１１７の左側面と中間部材１２６の右側面との間にできる隙間の間隔が、右取り付け軸１１５Ｂの長さよりも短いため、中間支持部材１１７の左側面が中間部材１２６の右側面に当接することで風向き変更部材１１０の移動を制限するので、右取り付け軸１１５Ｂがドレンパン１２０の右軸受け部１２１Ｘから外れたり、中間取り付け軸１１９が凹部１２６Ｘから外れたりする可能性が低減される。
＜第６の実施の形態＞
【００４４】
第１〜第５の実施の形態においては、右取り付け軸１１３と左取り付け軸１１５との間に１つの中間支持部材１１７や中間取り付け軸１１９が設けられるものであった。しかしながら、図１９のように、右取り付け軸１１３と左取り付け軸１１５との間に複数の中間支持部材１１７，１１７・・・や中間取り付け軸１１９，１１９・・・が設けられてもよい。この場合は、当然に、図２０に示すように、ドレンパン１２０側も、右側部材１２１と左側部材１２２の間に、中間取り付け軸１１９，１１９・・・を保持するための複数の中間フレーム１２５，１２５・・・が設けられる。
【００４５】
また、同様に、図２１に示すように、右取り付け軸１１５Ｂと左取り付け軸１１５との間に複数の中間支持部材１１７，１１８，１１７，１１８・・・や中間取り付け軸１１９Ｂ，１１９Ｂ・・・が設けられてもよい。この場合も、当然に、図２０に示すように、ドレンパン１２０側も、右側部材１２１と左側部材１２２の間に、中間取り付け軸１１９，１１９・・・を保持するための複数の中間フレーム１２５，１２５・・・が設けられる。
＜第７の実施の形態＞
【００４６】
上記の第１から第６の実施の形態においては、中間の取り付け軸１１９（１１９Ｂ）を支持する部材１１７，１１８が、取り付け軸１１３，１１５がスライドする際に、中間部材１２６にぶつかる構成であった。しかしながら、スライド時の風向き変更パネル１１１の移動を防止するためには、このような形態には限られない。
【００４７】
たとえば、中間の取り付け軸１１９（１１９Ｂ）を支持する部材１１７，１１８とは別に、風向き変更部材１１０に中間部材１２６とぶつかる部材（移動制限部材）を設けてもよい。さらには、当該ぶつかる部材が、中間部材１２６とは別の、ドレンパン１２０側の他の部材にぶつかる構成であってもよい。
＜第８の実施の形態＞
【００４８】
第１から第７の実施の形態においては、風向き変更部材１１０〜１１０Ｅの中部に軸１１９（１１９Ｂ）が形成され、ドレンパン１２０の中部に取り付け軸１１９を保持するための凹部１２６Ｘが形成されるものであった。しかしながら、取り付け軸１１３，１１５，１１９の一部または全部がドレンパン１２０側に設けられて、軸受け部１２１Ｘ，１２２Ｘや凹部１２６Ｘの一部または全部が風向き変更部材１１０側に設けられてもよい。
【００４９】
たとえば、図２２に示すようにドレンパン１２０Ｆの左右中間部に中間支持部材１２８が設けられ、当該中間支持部材１２８に取り付け軸１２９が形成されてもよい。この場合は、図２３に示すように、風向き変更部材１１０Ｆの中間部に中間支持部材１１７Ｆが形成されて、当該中間支持部材１１７Ｆに取り付け軸１２９を挟み込むための凹部１１７Ｘが形成される。
【００５０】
なお、中間支持部材１１７Ｆに関しては、凹部１１７Ｘの上側は、しっかりと中間取り付け軸１２９を受けるために硬めの部材で構成する。そして、凹部１１７Ｘの下側は、柔軟性が高い部材で構成され、撓んで中間取り付け軸１２９を挟み込みやすく構成されることが好ましい。
【００５１】
この場合は、図１０（Ｂ）において、風向き変更部材１１０Ｆの支持部材１１７Ｆの凹部１１７Ｘで、ドレンパン１２０Ｆの中間取り付け軸１２９を挟み込む。この状態において、風向き変更部材１１０Ｆの左取り付け軸１１５が、ドレンパン１２０Ｆの左軸受け部１２２Ｘに向かい合うように位置する。
【００５２】
そして、図１０（Ｃ）に示すように、スライド部材１１６を風向き変更部材１１０Ｆの左方向へスライドさせることによって、風向き変更部材１１０Ｆの左取り付け軸１１５をドレンパン１２０Ｆの左軸受け部１２２Ｘに挿入する。これによって、風向き変更部材１１０Ｆが上下方向に回動可能にドレンパン１２０Ｆに取り付けられる。
【００５３】
なお図２２および図２３のように、風向き変更部材１１０の左側後部のスライド部材１１６が左へスライドすることによって取り付け軸１１５を軸受け部１２２Ｘに挿入する場合には、ドレンパン１２０の中間支持部材１２８から右側に取り付け軸１２９が立設されることが好ましい。逆に、風向き変更部材１１０の右側後部のスライド部材１１６が右へスライドすることによって取り付け軸１１３を軸受け部１２１Ｘに挿入する場合には、図２４に示すように、中間支持部材１２８Ｂから左側に取り付け軸１２９Ｂが立設されることが好ましい。
【００５４】
なお、図２５に示すように、ドレンパン１２０Ｆ側の中間取り付け軸１２９Ｘの両側を２つの中間支持部材１２８Ｘ，１２８Ｙで支持する構成であってもよい。
【００５５】
また、第６の実施の形態と同様に、ドレンパン１２０Ｆ側に中間フレーム１２５（１２５Ｘ，１２５Ｙ）と中間支持部材１２８（１２８Ｘ，１２８Ｙ）と中間取り付け軸１２９Ｘの組み合わせが複数設けられ、風向き変更部材１１０Ｆの中間部に複数の中間支持部材１１７Ｆ，１１７Ｆ・・・が設けられてもよい。
＜第９の実施の形態＞
【００５６】
第１から第８の実施の形態においては、セパレート型空気調和機の室内機を用いて説明したが、天井埋め込み型空気調和機や天井吊り下げ型空気調和機、一体型空気調和機、窓取付型空気調和機や空気清浄機や加湿器、サーキュレーター、送風機、イオンなどの帯電粒子やオゾンなどを放出する送風機などの風向き変更機構に適用することができる。
＜まとめ＞
【００５７】
上記の第１から第９の実施の形態においては、風向き変更機構１０１が提供される。風向き変更機構１０１は、風向き変更部材１１０と、風向き変更部材１１０を回動可能に支持するための本体側の部材１２０とを備える。風向き変更部材１１０は、右端の取り付け軸１１３と、左端の取り付け軸１１５と、右端の取り付け軸１１３と左端の取り付け軸１１５との間に設けられる１つまたは複数の中間の取り付け軸１１９と、風向き変更パネル１１１と、を含む。本体側の部材１２０は、右端の取り付け軸１１３が差し込まれて当該取り付け軸１１３を枢支するための右軸受け部１２１Ｘが形成される右側部材１２１と、左端の取り付け軸１１５が差し込まれて当該取り付け軸１１５を枢支するための左軸受け部１２２Ｘが形成される左側部材１２２と、１つまたは複数の中間の取り付け軸１１９を挟んで保持するための凹部１２６Ｘが形成される１つまたは複数の中間部材１２６とを含む。
【００５８】
好ましくは、右端の取り付け軸１１３および左端の取り付け軸１１５の少なくとも一方の取り付け軸１１５は、風向き変更パネル１１１に対して左右方向にスライド可能に支持される。いずれかの取り付け軸１１５を対応する軸受け部１２２Ｘへ向けてスライドさせる際に、風向き変更パネル１１１から立設される部材１１７が本体側の部材１２０の一部に当接するように構成されている。
【００５９】
好ましくは、右端の取り付け軸１１３が、風向き変更パネル１１１に対して左右方向にスライド可能に支持される。左端の取り付け軸１１５が、風向き変更パネル１１１に対して左右方向にスライド可能に支持される。１つまたは複数の中間の取り付け軸１１９の少なくとも１つの両端部が支持部材１１７，１１８を介して風向き変更パネル１１１に対して固定される。
【００６０】
好ましくは、風向き変更パネル１１１が断熱部材１１１２を含む。スライドのための部材１１６の高さが断熱部材１１１２の高さよりも低い。
【００６１】
好ましくは、スライドのための部材１１６の風向き変更パネル１１１側に断熱材１１１４が配置される。
【００６２】
好ましくは、１つまたは複数の中間の取り付け軸１１９と１つまたは複数の中間部材１２６の一方の柔軟性が他方よりも高い。
【００６３】
この発明の別の局面に従うと、風向き変更機構１０１が提供される。風向き変更機構１０１は、風向き変更部材１１０Ｆと、風向き変更部材１１０Ｆを回動可能に支持するための本体側の部材１２０Ｆとを備える。風向き変更部材１１０Ｆは、右端の取り付け軸１１３と、左端の取り付け軸１１５と、凹部１１７Ｘが形成される１つまたは複数の中間支持部材１１７と、風向き変更パネル１１１と、を含む。本体側の部材１２０Ｆは、右端の取り付け軸１１３が差し込まれて取り付け軸１１３を枢支するための右軸受け部１２１Ｘが形成される右側部材１２１と、左端の取り付け軸１１５が差し込まれて取り付け軸１１５を枢支するための左軸受け部１２２Ｘが形成される左側部材１２２と、凹部１１７Ｘに挟まれる１つまたは複数の中間の取り付け軸１２９とを含む。
【００６４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６５】
１          ：空気調和機
３０        ：室内機
１０１      ：風向き変更機構
１０２      ：吹き出し口
１１０      ：風向き変更部材
１１１      ：風向き変更パネル
１１２      ：右支持部材
１１３      ：右取り付け軸
１１３Ｂ    ：左取り付け軸
１１４      ：左支持部材
１１４Ｂ    ：右支持部材
１１５      ：左取り付け軸
１１５Ｂ    ：右取り付け軸
１１６      ：スライド部材
１１７      ：中間支持部材
１１７Ｘ    ：凹部
１１８      ：中間支持部材
１１９      ：中間取り付け軸
１２０      ：ドレンパン
１２１      ：右側部材
１２１Ｘ    ：右軸受け部
１２２      ：左側部材
１２２Ｘ    ：左軸受け部
１２５      ：中間フレーム
１２６      ：中間部材
１２６Ｘ    ：凹部
１２８      ：中間支持部材
１２９      ：中間取り付け軸
１１１１    ：パネル本体
１１１１Ｘ  ：ガイド部
１１１２    ：断熱部材
１１１４    ：断熱材
１１１５    ：樹脂シート
１１６１    ：スライド本体
１１６２    ：指押し部
１１６３    ：補強リブ
【図１】
2018154805.tif 000003
【図２】
2018154805.tif 000004
【図３】
2018154805.tif 000005
【図４】
2018154805.tif 000006
【図５】
2018154805.tif 000007
【図６】
2018154805.tif 000008
【図７】
2018154805.tif 000009
【図８】
2018154805.tif 000010
【図９】
2018154805.tif 000011
【図１０】
2018154805.tif 000012
【図１１】
2018154805.tif 000013
【図１２】
2018154805.tif 000014
【図１３】
2018154805.tif 000015
【図１４】
2018154805.tif 000016
【図１５】
2018154805.tif 000017
【図１６】
2018154805.tif 000018
【図１７】
2018154805.tif 000019
【図１８】
2018154805.tif 000020
【図１９】
2018154805.tif 000021
【図２０】
2018154805.tif 000022
【図２１】
2018154805.tif 000023
【図２２】
2018154805.tif 000024
【図２３】
2018154805.tif 000025
【図２４】
2018154805.tif 000026
【図２５】
2018154805.tif 000027
【国際調査報告】
2018154805.tif 000028
2018154805.tif 000029
2018154805.tif 000030
2018154805.tif 000031